(57)【要約】【課題】  本発明の目的は、硬貨入出金装置において、小型であっても硬貨の受入範囲が広い硬貨投入口を提供することである。【解決手段】  上向きに開口すると共に下向きに凹型の硬貨投入口が外面フレームの上面に配置され、前記硬貨投入口の底部に配置した入金搬送ベルトによって前記投入された硬貨を次工程へ搬送した後、金種別に保留し、出金指令に基づいて硬貨受取口に払い出す硬貨入出金装置において、前記硬貨投入口は平面視円形であることを特徴とする硬貨入金装置の硬貨投入口である。【選択図】    図３
2015097001.tif 000002
【特許請求の範囲】
【請求項１】
上向きに開口すると共に下向きに凹型の硬貨投入口が外面フレームの上面に配置され、前記硬貨投入口の底部に配置した入金搬送ベルトによって前記投入された硬貨を次工程へ搬送した後、金種別に保留し、出金指令に基づいて硬貨受取口に払い出す硬貨入出金装置において、
前記硬貨投入口は平面視円形の投入開口を有することを特徴とする硬貨入金装置の硬貨投入口。
【請求項２】
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、
前記硬貨投入口は半球型であって、平面視円形の投入開口を有し、かつ、前記入金搬送ベルトの全周において前記入金搬送ベルトに向かって下向きの斜面に形成されていることを特徴とする硬貨入出金装置の硬貨投入口。
【請求項３】
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、
前記硬貨投入口は平面視円形の投入開口を有し、かつ、前記投入開口の上面から垂下する円筒周壁及び前記円筒周壁の下端に続いて前記入金搬送ベルトの全周において前記入金搬送ベルトに向かって下向きの周壁に形成されていることを特徴とする硬貨入出金装置の硬貨投入口。
【請求項４】
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、
前記硬貨投入口は平面視円形の投入開口を有し、かつ、前記平面視円形の中央において当該ベルトの短手よりも長手が長く露出するように配置され、前記入金搬送ベルトは前記入金搬送ベルトの短手及び長手の端部から前記硬貨投入口縁までの距離が、想定最大硬貨直径のよりも小さく設定されている
ことを特徴とする硬貨入出金装置の硬貨投入口。
【請求項５】
前記硬貨投入口の周囲に円形の発光器を配置したことを特徴とする請求項１〜４の硬貨入出金装置の硬貨投入口。
【発明の詳細な説明】
【技術分野】
【０００１】
本発明は、バラ状態で受入れた複数金種の硬貨を保留した後、払出指令に基づいて所定金種の硬貨を所定数硬貨受取口に払い出す硬貨入出金装置における、入金のための硬貨投入口に関する。
特に本発明は、バラ状態で受入れた複数金種の硬貨を保留した後、払出指令に基づいて所定金種の硬貨を所定数硬貨受取口に払い出す硬貨入出装置において、バラ状態で複数金種硬貨をどの方向から受け入れてもスムーズに次工程へ送り出すことができる、入金のための硬貨投入口に関する。
なお、本明細書で使用する「硬貨」は、日本硬貨、米国硬貨及びユーロ硬貨他全ての硬貨を含んでいる。
【背景技術】
【０００２】
第１の従来技術として、上向きに開口すると共に下向きに凹型の硬貨投入口が外面フレームに配置され、前記硬貨投入口の底部に配置した回転円盤によって前記投入された硬貨を次工程へ搬送した後、金種別に保留し、出金指令に基づいて硬貨受取口へ払い出す硬貨入出金装置において、当該硬貨投入口は平面視円形であり、さらに、上面から垂下する円形周面と底面に配置した回転円盤とによって、全体として円柱状空間にバラ状態で硬貨を保留し、最下の回転円盤の回転によって当該円盤の周縁部に一枚ずつ硬貨を整列させて次工程へ一枚ずつ区分けして送り出すことが知られている（特許文献１）。
【０００３】
第２の従来技術として、上向きに開口すると共に下向きに凹型の硬貨投入口が装置本体に配置され、前記硬貨投入口の底部に配置した入金搬送ベルトによって前記投入された硬貨を次工程へ搬送した後、金種別に保留し、出金指令に基づいて硬貨受取口へ払い出す硬貨入出金装置において、当該硬貨投入口は平面視矩形であり、底部に配置した入金搬送ベルトによって次工程へ硬貨を送り出すことが知られている（特許文献２）。
【先行技術文献】
【特許文献】
【０００４】
【特許文献１】特許3479428号（段落番号0016〜0020、図１〜図３）
【特許文献２】許第2000-182116号（段落番号0019〜0021，図１〜図３）
【発明の概要】
【発明が解決しようとする課題】
【０００５】
第１の従来技術においては、回転円盤の回転によって硬貨を周壁に沿わせて一列に整列させて後、次工程へ送り出している。
硬貨入出金装置として使用する場合、硬貨投入口には、通常は多くとも１０枚程度が投入されるので、回転円盤の直径は小さく、かつ、当該回転円盤を駆動する電気モータは小型でも良い。
一方、硬貨入出金装置においては、稼働前に所定量の出金用の硬貨（釣り銭）を補充した後、当該装置の稼働を開始する。この釣り銭補充は、装置の稼働率を高め、かつ、労働生産性を向上するため短時間で行うことが要求されるため、一度に大量に補充できることが望まれている。このため、第１の従来技術においては、硬貨投入口に投入された硬貨は全て、回転円盤上に載置されることから、回転円盤の直径を大きくせねばならず、装置が大型化すると共に、当該回転円盤駆動用のモータの出力を大きくせねばならず、多くとも１０枚程度が投入される通常使用時の消費エネルギが大きいとう問題がある。
【０００６】
第２の従来技術の硬貨入出金装置は、日本においてはつり銭機として使用され、一般的にはPOSレジの下に設置され、現金出納係（キャッシャ）が顧客から硬貨を受取った後、硬貨投入口に硬貨を投入した後、硬貨受取口に払い出されたつり銭硬貨を取り出して、顧客に渡している。したがって、その硬貨投入口はキャッシャが投入し易いように前記のように入金搬送ベルトの延在方向に長い矩形に形成されていることが好ましい。なぜなら、人が硬貨を硬貨投入口に投入する場合、掌に握った硬貨を掌を開く動作によって、又は、掌に載せた硬貨を自然落下させて硬貨投入口に投入するので、硬貨は掌の延在方向に沿って分散して落下する傾向にあるからである。換言すれば、硬貨投入口はキャッシャが前を向いた場合、その前方に長く形成されることが好ましい。
【０００７】
しかしながら、硬貨をキャッシャが投入せず、顧客本人が行う場合もあり、入金搬送ベルトの延在方向に対し、横方向から投入せざるを得ない場合が希に存する。
これを図10〜図11を参照して説明する。
図11において、縦長矩形のレジテーブル10の中央には、価格の入力端末兼表示装置12が設置され、キャッシャ14は顧客16が購入した商品の価格をバーコード読取装置等によって入力端末兼表示装置12に入力し、全ての商品の入力が終了した場合、集計処理が行われ、入力端末兼表示装置12に代金が表示される。
レジテーブル10の上流側端部側方にPOSレジ18が配置され、レシートの発行や貨幣の入出金が行われる。顧客16が硬貨を自分自身で硬貨入出金装置20に投入する場合、当該硬貨入出金装置20は、POSレジ18とは別にレジテーブル10の端部に配置される。この場合、鎖線で示すように、硬貨入出金装置20の硬貨投入口22が顧客16の前方に延在する方向に縦長になるように配置することが好ましいが、硬貨入出金装置20の後部がレジテーブル10からはみ出してしまい、他の機器のレイアウトに影響を及ぼすことから、やむを得ず実線で示すように硬貨投入口22が横長になるように配置せざるを得ない場合がある。この場合、硬貨投入口22は、その短手が顧客16の掌の延在方向に相対することから、顧客16は硬貨が硬貨投入口22から外れないように注意しつつ投入する必要があり、使い勝手が悪かった。なお、25は硬貨受取口である。
【０００８】
第２の従来技術においては、入金搬送ベルト上に載った硬貨の負荷が搬送ベルトの駆動力に影響を与えるので、硬貨投入口の深さを深くした場合は影響が大きいが、搬送ベルトの側方部が拡大された場合には大きな影響がない。換言すれば、硬貨投入口を搬送ベルトに対して側方へ大型化した場合、搬送ベルトの駆動力への影響は殆どないので、つり銭補給のために硬貨投入口を大型化する場合は、第１の従来技術よりは有利である。
しかし、第２の従来技術においては、硬貨投入口が搬送ベルトの延在方向に長い矩形であるため、硬貨投入に際しての投入位置がずれた場合であっても受取許容範囲の広い、当該長手の方向から投入することが好ましい。一方、短手方向から、或いは、長手に対し斜め方向から硬貨を投入する場合、硬貨投入口の短手部が掌を開放する方向（掌の長手方向）に相対することになる。すなわち、硬貨投入口の掌を開放する方向の寸法は比較的短いため、硬貨が硬貨投入口から外れて床面に落下する恐れが高まり、相当の注意力をもって投入する必要があるので、それほど注意せずとも良いようにする要求があった。
【０００９】
また、別の用法として、図12〜図13に示すように、硬貨入出金装置20は、精算機内に設置することがある。
精算機は設置場所によって、奥行きを多くとれる縦長精算機24Dの場合と、奥行きが取れない場合は横長にした横長精算機24Wに形成され、必要な機器を内蔵することが行われる。縦長精算機24D及び横長精算機24Wの硬貨投入口26は機器本体28の前面に配置されるので、当該硬貨投入口26から硬貨入出金装置20の硬貨投入口26まで所定の傾斜を有する案内通路30を配置せねばならない。そうすると、既存の硬貨投入口26では案内通路30からの硬貨を受け入れることができず、硬貨投入口22の位置を変えたり、その大きさを大きくせねばならない。これにより、硬貨入出金装置20は標準仕様とは異なることから、コストが増大する問題がある。
横長精算機24Wにあっては、硬貨投入口26は、硬貨投入口22の短手に対して短手が位置するので、硬貨投入口22の選択範囲はさらに狭くなり、前述と同様の問題がある。
したがって、これらの問題を解消するため、一の硬貨投入口において、硬貨の投入位置の適用範囲が広い硬貨投入口が求められていた。
硬貨の投入位置の適用範囲が広い硬貨投入口を得るためには、硬貨投入口自体を大きくすることが考えられるが、硬貨入出金装置20全体の大型化につながるため、俄に採用できない。
【００１０】
本発明の基本的目的である第１の目的は、硬貨入出金装置において、小型であっても硬貨の受入範囲が広い硬貨投入口を提供することである。
本発明の基本的目的である第２の目的は、硬貨投入口における投入硬貨を増加しても駆動力が増加せず、電気モータを大型化せずともよい硬貨入出金装置の硬貨投入口を提供することを目的とする。
本発明の従的な目的である第３の目的は、製造し易い硬貨投入口の形状にすることにより硬貨入出金装置を安価に提供できるようにすることを目的とする。
本発明の従的な目的である第４の目的は、顧客が硬貨投入口の位置を認識しやすい硬貨入出金装置の硬貨投入口を提供することを目的とする。
したがって、本発明は少なくとも第１及び第２の目的を達成することを目的とする。
【課題を解決するための手段】
【００１１】
この目的を達成するため、請求項１にかかる第1の発明は以下のように構成されている。
上向きに開口すると共に下向きに凹型の硬貨投入口が外面フレームの上面に配置され、前記硬貨投入口の底部に配置した入金搬送ベルトによって前記投入された硬貨を次工程へ搬送した後、金種別に保留し、出金指令に基づいて硬貨受取口に払い出す硬貨入出金装置において、前記硬貨投入口は平面視円形の投入開口を有することを特徴とする硬貨入金装置の硬貨投入口である。
【００１２】
請求項２にかかる第２の発明は、次ぎのように構成されている。
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、前記硬貨投入口は半球型であって、平面視円形の投入開口を有し、かつ、前記入金搬送ベルトの全周において前記入金搬送ベルトに向かって下向きの斜面に形成されていることを特徴とする硬貨入出金装置の硬貨投入口である。
【００１３】
請求項３にかかる第３の発明は、次ぎのように構成されている。
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、前記硬貨投入口は平面視円形の投入開口を有し、かつ、前記投入開口の上面から垂下する円筒周壁及び前記円筒周壁の下端に続いて前記入金搬送ベルトの全周において前記入金搬送ベルトに向かって下向きの斜面に形成されていることを特徴とする硬貨入出金装置の硬貨投入口である。
【００１４】
請求項４にかかる第４の発明は、次ぎのように構成されている。
上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、前記硬貨投入口は平面視円形の投入開口を有し、かつ、前記平面視円形の中央において当該入金搬送ベルトの短手よりも長手が長く露出するように配置され、前記入金搬送ベルトは前記入金搬送ベルトの短手及び長手の端部から前記硬貨投入口縁までの距離が、想定最大硬貨直径のよりも小さく設定されていることを特徴とする硬貨入出金装置の硬貨投入口である。
【００１５】
請求項５にかかる第５の発明は、次ぎのように構成されている。
前記硬貨投入口の周囲に円形の発光器を配置したことを特徴とする請求項１〜４の硬貨入出金装置の硬貨投入口である。
【発明の効果】
【００１６】
請求項１に係る第１の発明において、硬貨投入口は平面視円形であることから、ベルトの長手の延在方向を縦にした場合、硬貨投入口の中心からの位置が全て同じ（実質同一を含む）なので、何れの方向から硬貨が投入される場合であっても、硬貨投入口の中心から同一距離になり、硬貨投入位置が異なる場合であっても受け入れることができ、本願発明の第１の目的を達成することができる利点がる。
さらに、硬貨の次工程への搬送は、硬貨投入口の底部に配置した入金搬送ベルトによって行われるので、投入可能な硬貨量を増大する場合であっても、硬貨投入口の深さが増加しなければ入金搬送ベルトの駆動力への影響はほとんど無いので、本発明の主たる目的である第２の目的を達成できる利点がある。
【００１７】
請求項２に係る第２の発明において、主たる構成は第１の発明と同一であるので、第１の発明同様に本願発明の基本的目的たる第１の目的及び第２の目的を達成できる利点がある。
また、硬貨投入口は半球形であり、かつ、入金搬送ベルトの全周において前記入金搬送ベルトに向かって下向きの斜面に形成されているので、硬貨投入口に投入された硬貨は当該斜面を滑り落ちて入金搬送ベルト上に移動できるので円滑に硬貨を次工程へ送り出すことができる利点がある。
【００１８】
請求項３に係る第３の発明において、主たる構成は第１の発明と同一であるので、第１の発明同様に本願発明の基本的目的たる第１の目的及び第２の目的を達成できる利点がある。
さらに、硬貨受取口の上面から垂下する円筒周壁及び前記円筒周壁の下端に続いて前記入金搬送ベルトの全周において前記入金搬送ベルトに向かって下向きの斜面に形成されているので、硬貨投入口に投入された硬貨は当該斜面を滑り落ちて入金搬送ベルト上に移動できるので円滑に硬貨を次工程へ送り出すことができる利点がある。
【００１９】
請求項４に係る第４の発明において、主たる構成は第１の発明と同一であるので、第１の発明同様に本願発明の基本的目的たる第１の目的及び第２の目的を達成できる利点がある。
さらに、前記入金搬送ベルトは前記平面視円形の中央において当該入金搬送ベルトの短手よりも長手が長く露出するように配置され、前記入金搬送ベルトの短手及び長手の端部から前記硬貨投入口縁までの距離が、想定最大硬貨直径のよりも小さく設定されているので、入金搬送ベルトに向かう下向きの傾斜が大であり、硬貨の保留量を多くできる利点がある。
【００２０】
請求項５に係る第５の発明において、主たる構成は第１の発明と同一であるので本願発明の基本的目的たる第１及び第２の目的を達成できる利点がある。
さらに、硬貨投入口の周囲に円形の発光器を配置したので、この発光器を発光させることにより硬貨投入口の位置を際立たせることができるので、顧客による硬貨投入時の投入外れを低減できる利点がある。
【図面の簡単な説明】
【００２１】
【図１】図１は、本発明の実施例１の硬貨入出金装置の斜視図である。
【図２】図２は、本発明の実施例１の硬貨入出金装置の概略構成図である。
【図３】図３は、本発明の実施例１の硬貨入出金装置の部分平面図である。
【図４】図４は、図３におけるＡ―Ａ線断面図である。
【図５】図５は、図３におけるＢ―Ｂ線断面図である。
【図６】図６は、図３におけるＡ―Ａ線断面における作用説明図である。
【図７】図７は、図３におけるＢ―Ｂ線断面における作用説明図である。
【図８】図８は、本発明の実施例２の硬貨入出金装置における図３におけるＡ―Ａ線断面と同様の位置における断面図である。
【図９】図９は、本発明の実施例２の硬貨入出金装置における図３におけるＢ―Ｂ線断面と同様の位置における断面図である。
【図１０】図10は、従来の硬貨投入口を備える硬貨入出金装置の斜視図である。
【図１１】図11は、従来の技術を説明するためのＰＯＳレジ回りの一例を表した平面図図である。
【図１２】図12は、従来の硬貨入出金装置を内臓した縦長の精算機であり、（Ａ）は平面図、（Ｂ）は側面図である。
【図１３】図13は、従来の硬貨入出金装置を内臓した横長の精算機であり、（Ａ）は平面図、（Ｂ）は側面図である。
【発明を実施するための形態】
【００２２】
本発明における硬貨払出装置の最良の形態は、上向きに開口すると共に下向きに凹型の硬貨投入口が外面フレームの上面に配置され、前記硬貨投入口の下方に配置した入金搬送ベルトによって前記投入された硬貨を次工程へ搬送した後、金種別に保留し、出金指令に基づいて硬貨受取口に払い出す硬貨入出金装置において、前記硬貨投入口は平面視円形の投入開口を有し、かつ、前記平面視円形の中央において当該入金搬送ベルトの短手よりも長手が長く露出するように配置され、前記入金搬送ベルトは前記入金搬送ベルトの短手及び長手の端部から前記硬貨投入口縁までの距離が、想定最大硬貨直径のよりも小さく設定されていることを特徴とする硬貨入出金装置の硬貨投入口である。
【実施例１】
【００２３】
本実施例１は、ヨーロッパ共同体の通貨である2ユーロ、1ユーロ、50セント、20セント、10セント、5セント、2セント及び1セントの、8金種の硬貨を受け入れて金種毎に保留し、上位機器からの払い出し指令に基づいて所定金種の硬貨を所定数出金する硬貨入出金装置の例である。しかしながら、本発明の対象硬貨は、日本円又は米国ドル硬貨等世界中の硬貨に適用できる。
硬貨入出金装置100の概要を図１及び図２を参照して説明する。
硬貨入出金装置100は外面フレーム101内に配置された入金量規制装置102、分離送出装置104、金種判別装置106、入金搬送装置108、選別部110、硬貨保留部112及び出金装置114、及び、硬貨受取口116を含んでいる。
【００２４】
まず入金量規制装置102を図3〜図5を参照し、説明する。
入金量規制装置102は、硬貨投入口120にバラ状態で投入された複数金種の硬貨Cを、単位時間当たり所定量を超えない範囲で次行程の分離送出装置104に送り出す機能を有する。
具体的には、硬貨投入口120、崩しローラ124及び入金搬送ベルト122を駆動する第１電気モータ126、及び、第１電気モータ126の制御回路（図示せず）を含んでいる。
【００２５】
まず、本発明に係る硬貨投入口120を説明する。
硬貨投入口120は、顧客が投入した硬貨を直接、又は、顧客が投入した後、硬貨案内により案内された硬貨を受入れて入金搬送ベルト122上に案内する機能を有する。
硬貨投入口120は、外面フレーム101の前端部左側上面に配置され、硬貨投入口120の投入開口121とその下方に配置された保留部123とによって構成されている。換言すれば、保留部123の上面が投入開口121であり、当該投入開口121は平面視円形である。平面視円形とは、中心CEからの距離が同一の真円でなくとも、目視上円形に判断できる形であればよいが、ラグビーボールの様な長円形は含まない概念である。本実施例１のように、硬貨投入口120を外面フレーム101の前端部左側上面に配置することにより、硬貨入出金装置100を顧客に対し縦向き又は横向きの何れに配置した場合であっても、顧客に対し最も近い１に硬貨投入口120が位置するので、顧客が投入し易く、顧客の利便性が高まる利点がある。
投入開口121の直径は、本実施例１においては、後述の入金搬送ベルト122の幅WBよりも大きく形成されている。具体的には、搬送開口127の幅Ｗの大凡２倍に形成されているが、２倍よりは小さく設定されている。さらに具体的には、搬送開口127の幅Ｗは、使用が想定される最大径硬貨直径との関係に基づいて設定されているので、硬貨投入口120の直径は搬送開口127の幅Wの二倍程度が好ましい。
【００２６】
保留部123は投入開口121から下方に窪んだ部分であり、本実施例１においては、半球形に形成されている。すなわち、図４及び図５に図示するように、長手中心線CL上に位置し外面フレーム101の上面よりも僅か上方の中心CEを中心に所定の半径Rによって描いた仮想円ＣＣＬの下側部分に倣って形成することにより、半球形状にしたものである。半球形とは、真半球でなくとも、外見上半球形といえる形状であればよい概念である。
硬貨投入口120の底部の壁面125、換言すれば、保留部123を区画する半球状の壁面125の底面には、矩形長孔形状の搬送開口127が外面フレーム101の長手方向に長く形成されている。
図４に示すように、搬送開口127はその幅Ｗが入金搬送ベルト122の幅WBよりも僅かに狭く形成され、その長手方向の長手中心線CLは投入開口121の中心ＣEを通り、外面フレーム101の長手端縁に対し平行をなしている。搬送開口127の長手の左端縁127Lと右端縁127Rは下向きにリブ状に突出され、硬貨Cの案内壁を構成し、その高さは、最小部分においては使用が想定される最厚硬貨の厚みの二倍未満であり、それらの間の幅Wは、使用が想定される最大径硬貨の直径を超え、その1.5倍以下の範囲に設定されている。硬貨ジャム（硬貨が何らかの理由で詰まりを生じること）を防止し、可及的速やかに硬貨を次工程へ搬送するためである。左端縁127L及び右端縁127Rの下端はそれぞれ、後述の入金搬送ベルト122の上面と平行に形成され、それらの間の距離は使用が想定される最薄硬貨の厚みよりは小さく設定されている。それらの間の隙間から硬貨Cが抜け落ちることを防止するためである。
左端縁127Lと投入開口121との間の最大距離MD、換言すれば、長手中心線LＣを通り、長手中心線LCに対し直角をなす短手中心線ＳＣ上の左端縁127Lと投入開口121の左端121Lとの距離ＭＤは、最大径硬貨の直径よりも小さく設定されている。左端121Lに相対する右端121Rと右端縁127Rとの関係も同様に設定されている。硬貨投入口120に投入された硬貨が速やかに入金搬送ベルト122上に滑落するよう半球状の壁面125の傾斜角を十分に取るためである。
【００２７】
搬送開口127の縦方向の前端部127Fと後端部127Bとの長手寸法Ｌは、幅Ｗよりも大きく設定されている。換言すれば、搬送開口127は縦長矩形に形成され、長手寸法Ｌは使用が想定される最大径硬貨直径の三倍程度である。
前端部127Fは、図３から明らかなように、弧状の半円形に形成されている。入金搬送ベルト122が反搬送方向（前端部127F側）に進行した場合、壁面125にもたれている硬貨を入金搬送ベルト122の長手中心線CL側に案内し、次ぎに入金搬送ベルト122が搬送方向（後端部127B側）へ進行した場合、入金搬送ベルト122上に速やかに面接触させるためである。
図５において明らかなように、前端部127Fは、大凡入金搬送ベルト122に対し垂立するように下方に延在し、その下端と入金搬送ベルト122との間隔は、使用が想定される最薄硬貨の厚みよりは小さい間隔に設定されている。入金搬送ベルト122の逆送時にそれらの間の隙間に挟み込まれないためである。
後端部127Bは、直線的に形成され、図４に示すように長手中心線CLに対し直角をなすように形成されている。前端部127F、及び、後端部127Bと投入開口121との寸法、換言すれば、長手中心線CL上の距離は、使用が想定される最大径硬貨直径の３倍よりも小さく設定されている。
【００２８】
次ぎに入金搬送ベルト122を説明する。
入金搬送ベルト122は、硬貨投入口120に投入され、保留部123から当該入金搬送ベルト122上に落下した硬貨を次工程へ搬送する機能を有する。
入金搬送ベルト122は、搬送開口127の直下に配置され、長手中心CLに沿って配置されている。具体的には、入金搬送ベルト122は一対のローラ125F、125Bの間に張設され、かつ、搬送方向に僅かに上り傾斜に設けられると共に、搬送開口127の幅よりも広い幅を有し、長手方向の長さも搬送開口127よりも長く設定されている。
入金搬送ベルト122は、第１電気モータ126により硬貨Cを前方（次工程）に搬送する正転方向及び硬貨Cを戻す逆転方向に移動可能である。第１電気モータ126は、制御装置（図示せず）からの指令によって正転、逆転、又は、停止状態になる。
【００２９】
次ぎに崩しローラ124を説明する。
崩しローラ124は、入金搬送ベルト122のローラ125Bの上方に、入金搬送ベルト122との間に最薄硬貨の約3倍の隙間を空けて配置され、その周面の一部は保留部123に突出している。
この崩しローラ124は、入金搬送ベルト122の上面が搬送方向（図５において左方向）に進行する場合、その下面が入金搬送ベルト122の進行方向と逆方向に回転し、入金搬送ベルト122が戻り方向に移動する場合、静止状態になるよう構成されている。搬送方向とは、次工程への搬送方向を表し、本実施例１においては、次工程の分離送出装置104へ搬送する方向を言う。
これにより、入金搬送ベルト122上に最薄の硬貨が三枚以上重なって崩しローラ124に到達した場合、最上の硬貨は崩しローラ124によって戻り方向に移動されてズリ落とされ、多量の硬貨Cが一気に次工程の分離送出装置104に落下しないように規制する機能を有する。さらに、入金搬送ベルト122が搬送方向に進行する場合、保留部123に積み上がっている硬貨Cを摩擦力によって入金搬送ベルト122側へ送り込む。
崩しローラ124の上側の周面は、搬送開口127の後端部127Bに対し、最薄硬貨の厚みよりも狭い間隔に設定されている。硬貨Ｃがこの隙間に挟まれないようにするためである。
【００３０】
硬貨投入口120の下方の入金搬送ベルト122の僅か上方をその光軸が横断するよう、入金検知装置である光電センサ128が１又は複数配置される。
光電センサ128の光軸が遮断された場合、硬貨Cが投入されたとみなし、第１電気モータ126を駆動して入金搬送ベルト122を入金方向に移動させる。光電センサ128は、その光軸が、入金搬送ベルト122から最薄硬貨の厚み未満に配置されている、したがって、左端縁128L及び右端縁128Rには、それら光軸を逃がすための切欠129が１又は複数形成されている。
また、後述の分離送出装置104のフルセンサ136がフル状態を検知した場合、第１電気モータ126は停止される。
したがって、分離送出装置104は、入金量規制装置102からフル量以上の硬貨を受けることが無く、安定して一つずつ区分けして送り出すことができる。
なお、光電センサ128は、入金搬送ベルト122の下側に設置した磁気センサによって代替えし、又は、組合せることが出来る。
【００３１】
硬貨投入口120の周囲の外面フレーム101には、当該硬貨投入口120を取り囲むようにリング型の発光器131が配置され、硬貨の入金がなされる状況において、連続、又は、点滅発光される。すなわち、上位機器からの硬貨受入指令が出された場合、発光器131は発光され、硬貨投入口120の位置を際立たせる。例えば、上位機器からの硬貨受入指令は、POSレジにおいて商品価格の入力処理が終わり、支払金額が確定したことをきっかけとして指令し、発光させる。
【００３２】
次に分離送出装置104を説明する。
分離送出装置104は、入金量規制装置102からバラ状態で受け入れた複数金種の硬貨Cを一つずつ分離して次行程へ送り出す機能を有する。
分離送出装置104は、入金量規制装置102の下方に配置され、回転円盤130、保留ボウル132、受取体134及びフルセンサ136を含んでいる。
【００３３】
回転円盤130は、硬貨Cを一つずつ受け入れる受入部138を有し、所定の角度で傾斜配置され、かつ、所定の速度で回転される。
受入部138は、回転円板140の上面に等間隔に3つの凹部142を形成したY字形のプレート146を回転円板140と同心に固定してある。
なお、回転円板140の直径を大きくした場合、受入部138の数は4以上にすることが出来、回転円板140の直径を小さくした場合、受入部138の数は2以下にすることが出来る。
凹部142の一側にはピボット運動する押出体148が配置されている（例えば特許第4784806号参照）。
換言すれば、押出体148と凹部142によってほぼ半円形の受入部138が形成されている。
受入部138は、最小径硬貨が二つ並んで受入られることができず、かつ、最大径硬貨が一枚のみ受け入れられる大きさに設定されている。
押出体148は、通常は受入部138を形成するように凹部142の一側に寄った位置に静止状態に位置し、ピボット運動して所定位置に移動した場合、保持されていた硬貨を回転円板140の周方向へ送り出す。
この押出体148の移動は、回転円板140の回転動を利用して溝カムなどで行うことが好ましい。
【００３４】
受入部138は、保留ボウル132に相対する下部においてバラ状態で保留された硬貨Cを一つずつ受入れ、押出体148は回転円盤130の回転中心よりも上方の所定の位置において受入部138の硬貨Cを周方向へ押し出し、ナイフ形状の受取体134に受け渡す。
回転円盤130は図示しない電気モータによって減速機を介して所定の速度で回転される。
【００３５】
フルセンサ136は、保留ボウル132内の硬貨量が所定量以上になった場合、フル信号を出力する機能を有し、例えば、透過形の光電センサである。
フルセンサ136がフル信号を出力した場合、第１電気モータ126が停止され、入金量規制装置102からの硬貨Cの供給が停止される。
フルセンサ136がフル信号を出力しなくなった場合、第１電気モータ126は再起動され、入金搬送ベルト122上の硬貨Cが保留ボウル132に供給される。
【００３６】
次に、金種判別装置106が説明される。
金種判別装置106は、分離送出装置104から一つずつ送り出された硬貨Cの真偽及び金種を判別する機能を有する。
金種判別装置106は、硬貨の材質、厚み及び直径等に関する物理情報を磁気センサ150によって取得した検知データに基づいて硬貨Cの真偽及び金種を判別する機能を有する。
【００３７】
金種判別装置106は、磁気センサ150、回転円板140の上面と同一平面内に配置されたスライドベース（図示せず）、硬貨Cを送るための回転体152及び基準ガイド154を含んでいる。
スライドベースは、回転体152によって押動される硬貨Cの一面を案内する機能を有する。
回転体152は、分離送出装置104から受け取った硬貨Cを移動させ、一つずつ硬貨受入部158を通過させる機能を有する。
さらに、回転体152は硬貨受入部158を通過した硬貨Cを入金搬送装置108へ受け渡す機能を有する。
回転体152は、スライドベースと平行であって、かつ、近接した平面内において回転可能であり、受入部138と同数の等間隔に配置された三本の押動レバ156によって硬貨受入部158を形成し、Y字形をしている。
基準ガイド154は、硬貨受入部158に相対して通過する硬貨Cを直線的に案内し、磁気センサ150に対する硬貨Cの位置を一定にする機能を有する。
【００３８】
次に入金搬送装置108を説明する。
入金搬送装置108は、その真偽及び金種を判別された硬貨Cを選別部110に搬送する機能を有する。
入金搬送装置108は、同一平面内を一方向に移動する無端搬送体160及び無端搬送体160によって押動される硬貨Cの一面がスライドするスライドプレート162及び前記硬貨Cの周面を案内する一直線状のガイドレール164を含んでいる。
スライドプレート162の傾斜角は、硬貨入出金装置100全体を小型化するには、約45度が好ましい。
無端搬送体160は、本実施例１において、所定の間隔で配置された第1スプロケット166と第２スプロケット168との間に張設されたチェーン170である。しかし、無端搬送体160はベルトであってもよい。
チェーン170は、扁平なランニングトラック形状に設置され、第1スプロケット166は金種判別装置106の回転体152の直ぐ側方に配置されている。
チェーン170は、金属製チェーンであることが耐久性及びコストの観点で好ましいが、樹脂製にすることができる。
チェーン170の側面に押動ピン172が所定の間隔で固定されている。
【００３９】
押動ピン172は、押動レバ156の間隔に対応した間隔でチェーン170に複数取り付けられている。
第1スプロケット166は所定の速度で回転され、押動レバ156と押動ピン172は、押動レバ156によって押動ピン172の移送経路174に押動された硬貨Cは、直ぐに押動ピン172によって押動されるように設定される。移送経路174は、ガイドレール164によって案内されつつ押動ピン172によって押動される硬貨Cが移動する経路である。
【００４０】
ガイドレール164は、押動ピン172によって押される硬貨Cが移送経路174を移動するよう、硬貨Cの下端周面を案内する機能を有する。
ガイドレール164は、ランニングトラック形の上側の直線状を呈するチェーン170に沿って、かつ、その僅か下方に配置される。
ガイドレール164は、前記スライドプレート162に対し、取扱硬貨の最大厚みよりも僅かに直交方向に突出している。
したがって、押動ピン172によって押される硬貨Cは、その下面がスライドプレート162によって案内され、かつ、下端周面はガイドレール164によって案内される。
本実施例１におけるガイドレール164は、後述するように、選別部も兼ねている。
【００４１】
選別部110は、硬貨Cを金種毎に所定の選別孔に落下させる機能を有している。
選別部110は、ガイドレール164の上側にガイドレール164に沿って配置された上側選別部180、及び、ガイドレール164に沿って下側に配置された下側選別部182を有している。
【００４２】
上側選別部180は、入金搬送装置108の進行方向に向かって順に2セント選別孔184、5セント選別孔186、10セント選別孔188、20セント選別孔190及びオーバーフロー選別孔192が配置されている。
下側選別部182は、入金搬送装置108の進行方向に向かって順にリジェクト選別孔194、1セント選別孔196、2ユーロ選別孔198、50セント選別孔200及び1ユーロ選別孔202が配置されている。
このように、入金搬送装置108の上側選別部180と下側選別部182を配置した場合、入金搬送装置108の同一場所で上側と下側に硬貨Cを振り分けできるので、硬貨の搬送距離を短くでき、硬貨入出金装置100を小型化できる利点がある。
なお、各選別孔に対する金種の配置は一例であるので、必要に応じ自由に配置できる。
【００４３】
各硬貨選別孔184、186、188、190、194、196、198、200及び202には、電気的アクチュエータによって作動されるゲート装置(図示せず)が配置されている。
本実施例１において、選別孔194、196、198、200及び202のゲート装置は、ガイドレール164も兼ねている。
すなわち、ガイドレール164は、リジェクト選別孔194、、2ユーロ選別孔198、50セント選別孔200及び1ユーロ選別孔202の間に固定される固定ガイド、及び、電動的に移動される可動ガイドによって構成され、通常１本の直線状を呈している。
そして、搬送される硬貨が選別孔194、196、198、200及び202に落下される場合、可動ガイドを通常の位置から移動させることにより、移送される硬貨が可動ガイドに案内されないようにし、所定の選別孔に落下するようにしてある（特許第4997374参照）。
【００４４】
各硬貨選別孔184、186、188、190、194、196、198、200及び202に相対するゲート装置は、タイミングセンサ（図示せず）からのタイミング信号、及び、硬貨  受入部158によって検知された硬貨情報によって判別された真偽及び金種に基づいて選択的に開閉される。
結果として、入金搬送装置108によって搬送される硬貨Cは、金種毎に所定の選別孔に落下させられる。
【００４５】
硬貨保留部112は、選別部110において金種毎に選別された硬貨Cを金種別に保留する機能、及び、上位機器、例えばPOSレジからの指令によって、所定金種の硬貨を所定数払い出す機能を有する。
本実施例１において、硬貨保留部112は回転ディスク（図示せず）によって硬貨Cを一つずつ払い出す硬貨払出装置210を金種毎に選別部110の下方に上側選別部180及び下側選別部182に相対して横並びに並列した第１硬貨払出装置列212及び第２硬貨払出装置列214の二列に並べることにより構成されている。
なお、第１硬貨払出装置列212及び第２硬貨払出装置列214における「第１」及び「第２」は区別のために付与したものであり、権利解釈上特に意味を有するものではない。
各硬貨払出装置210は、符号210に金種を付して表示してある。
【００４６】
次に出金装置114を説明する。
出金装置114は、金種毎の硬貨払出装置210から放出された硬貨Cを可及的速やかに硬貨受取口116へ搬送する機能を有する。
詳述すれば、出金装置114は硬貨払出装置210から弾き出された硬貨Cの挙動を早期に収束させて出金搬送ベルト216の上面に速やかに面接触させ、当該出金搬送ベルト216によって硬貨受取口116へ搬送する機能を有し、本実施例１においては、少なくとも出金搬送ベルト216を含んでいる。
【００４７】
次ぎに出金搬送ベルト216が図２を参照して説明される。
出金搬送ベルト216は、その上面218に落下した硬貨Cを硬貨受取口116に搬送する機能を有し、本実施例１において出金搬送ベルト216は、平ベルト220であって、一対のローラ222、224間に張設され、その上面218は硬貨受取口116側に向かって所定角度で前下がりに配置されている。この傾斜角度は、平ベルト220が静止している状態において、立った硬貨Cが硬貨受取口116側へ転動する程度の角度であることが好ましい。出金搬送ベルト216の進行と硬貨Cの転動によって、硬貨Cを迅速に硬貨受取口116へ搬送するためである。
この転動の判断方法としては、静止した状態の出金搬送ベルト216上に、硬貨を指先で挟んで黙視において垂立状態に静止させた後、当該つまみを開放した場合において、硬貨が硬貨受取口116側に転がり出せば本傾斜角度要件を満たす。
一方のローラ、本実施例１ではローラ222が第２の電気モータ226により上面218が硬貨受取口116に向かって移動するよう選択的に駆動される。
平ベルト220の上面に対して垂立する一対のガイド板228、230が所定の間隔で配置され、平ベルト220によって搬送される硬貨Cを案内するようになっている。
平ベルト220によって搬送された硬貨Cは、椀状の硬貨受取口116中に送り込まれる。
第２の電気モータ226は、硬貨払出装置210に硬貨払出指令が出力されると同時に回転を開始し、搬送に十分な時間経過後に回転を停止する。
各硬貨払出装置210から放出された硬貨は、出金搬送ベルト216の上面218に落下する。出金搬送ベルト216上に落下した硬貨は、前述のように出金搬送ベルト216に面接触して当該出金搬送ベルト216の進行によって硬貨受取口116へ向かって搬送され、その端部から硬貨受取口116に落下し、保留される。
【００４８】
次に本実施例１の作用を説明する。
まず入金時の作用について図６及び図７をも参照して説明する。
複数金種の硬貨Cを硬貨投入口120に投入した場合、投入硬貨Cは投入開口121から入金搬送ベルト122上に直接、又は、硬貨投入口120の保留部123の壁面125に落下した後、当該壁面125上を滑って入金搬送ベルト122上に位置する。
すなわち、投入開口121の縁（含む左端121L、右端121R）に近い位置に落下した硬貨Ｃは、壁面125上を滑り落ちて入金搬送ベルト122上に位置する。そして、投入開口121は中心CEに対し等距離の範囲で開口していることから、硬貨Cの落下位置が投入開口121の範囲であれば前述同様に入金搬送ベルト122上に滑落するので、硬貨Cの次工程への搬送が円滑に行われる。したがって、硬貨投入範囲が投入開口121の全方向において同じであるので、硬貨入出金装置100を顧客に対し縦向き、若しくは、横向きに配置、又は、精算機内部に縦向き、若しくは、横向きに配置しても柔軟に対応できる。
硬貨Cが入金搬送ベルト122上に載置された場合、光電センサ128の光軸が投入硬貨Cにより遮られるため、入金検知信号を出力し、第１電気モータ126が入金検知信号に基づいて正転方向に回転される。
したがって、入金搬送ベルト122の上面が分離送出装置104側へ移動するので、硬貨Cは入金搬送ベルト122の端部から落下して分離送出装置104の保留ボウル132内に落下する。
【００４９】
硬貨Cが重なって入金搬送ベルト122上によって搬送される場合、崩しローラ124が逆転しているのでローラ124の下面が入金搬送ベルト122の上面と逆方向に移動し、積み上がっている硬貨Cは、崩しローラ124によって進行を阻止され、入金搬送ベルト122上に落下させられる。
落下させられた硬貨Cは、入金搬送ベルト122の進行によって、再度、分離送出装置104に向かって前述同様に搬送される。
光電センサ128が硬貨Cを検知しなくなった場合、第１電気モータ126は停止され、入金搬送ベルト122の駆動が停止される。
【００５０】
さらに、光電センサ128の入金検知信号により図示しないモータが回転され、回転円板140が図２において反時計方向へ回転される。
また、回転体152が回転円板140に伝達比１対１にて連動して図１において時計方向に回転される。
さらに、第1スプロケット166が図２において反時計方向に回転され、チェーン170が反時計方向回りに循環される。
【００５１】
したがって、保留ボウル132内に落下した硬貨Cは、プレート146及び押出体148によって攪拌されて様々に姿勢を変えられ、その姿勢変化の過程において、一枚の硬貨Cのみが各受入部138に受け入れられる。
すなわち、硬貨Cの一面が回転円板140に面接触した状態で受入部138に位置し、プレート146の一部側面により押されて回転円板140の回転と共に移動する。
【００５２】
受入部138が最上位置を通過した直後に押出体148が反時計方向にピボット運動し、回転円板140の周方向へ移動する。
これにより、押出体148によって受入部138に位置する硬貨Cは回転円板140の周方向へ押し出され、受取体134によってガイドされた直後に、回転円板140に連動して回転する回転体152の押動レバ156によって押されるようになる。
【００５３】
保留ボウル132に落下した硬貨Cが所定量以上の場合、フルセンサ136からフル信号が出力され、第１電気モータ126は光電センサ128が投入硬貨を検知していても停止され、分離送出装置104への硬貨Cの過投入を防止する。
回転円盤130の回転によって保留ボウル132内の硬貨Cが送り出され、フルセンサ136からフル信号が出力されなくなり、かつ、光電センサ128が入金信号を出力している場合、第１電気モータ126は再起動され、入金搬送ベルト122上の硬貨Cを分離送出装置104へ供給する。
【００５４】
押動レバ156によって押される硬貨Cは、スライドベースにその一面が接触しつつ移動通路を移動する。
このとき硬貨Cは自身の遠心力により、硬貨周面が基準ガイド154に押し付けられつつ移動する。
この移動過程において、まず、硬貨Cは磁気センサ150に相対し、直径、厚み、及び、材質に関する情報が取得される。
そして、この出力を基準値と比較することにより、各硬貨の真偽及び金種が判別される。
【００５５】
磁気センサ150と相対した後、硬貨Cは押動レバ156によって入金搬送装置108の押動ピン172の移動通路に押し出される。
硬貨Cは、移動通路に押し出された直後にチェーン170によって移動される押動ピン172によって押動されるようになる。
これにより、硬貨Cは周面がガイドレール164にガイドされつつスライドプレート162に一面を面接触しつつ移動通路を移送される。
【００５６】
硬貨Cが移動通路を移送される途中において、記憶された金種等に基づいて、かつ、図示しないタイミングセンサからのタイミング信号に基づいて各選別孔に対応するゲート装置が作動され、所定金種の硬貨Cが所定の選別孔に落下される。
【００５７】
具体的には、偽貨の場合、リジェクト選別孔194のゲートを所定時間開き、ガイドレール164に沿って移動される偽貨はリジェクト選別孔194に落下し、図示しないシュートに案内されて出金搬送ベルト216上に落下し、光電センサ128の入金信号によって起動されて搬送運動している当該出金搬送ベルト216によって硬貨受取口116に戻される。
【００５８】
判別された金種が2セント硬貨2Cの場合、選別孔184のゲートがタイミング信号に基づいて所定時間開かれ、ガイドレール164に案内されつつ移動される2セント硬貨2Cは選別孔184に落下した後、図示しないシュートにより案内されて2セント用硬貨払出装置210-2Cに保留される。
【００５９】
判別された金種が5セント硬貨5Cの場合、選別孔186のゲートがタイミングセンサから出力される位置信号に基づいて所定時間開かれ、ガイドレール164に案内されつつ移動される5セント硬貨5Cは選別孔186に落下した後、図示しないシュートにより案内されて5セント用硬貨払出装置210-5Cに保留される。
【００６０】
判別された金種が１セント硬貨1Cの場合、選別孔196のゲートがタイミングセンサから出力される信号に基づいて所定時間開かれる。
よって、ガイドレール164に案内されつつ移動される1セント硬貨1Cは選別孔196に落下した後、図示しないシュートにより案内されて1セント用硬貨払出装置210-1Cに保留される。
【００６１】
判別された金種が10セント硬貨10Cの場合、選別孔188のゲートがタイミングセンサから出力される位置信号に基づいて所定時間開かれ、ガイドレール164に案内されつつ移動される10セント硬貨10Cは選別孔188に落下した後、図示しないシュートにより案内されて10セント用硬貨払出装置210-10Cに保留される。
【００６２】
判別された金種が2ユーロ硬貨2Eの場合、選別孔198のゲートが第３タイミングセンサから出力される位置信号に基づいて所定時間開かれる。
よって、ガイドレール164に案内されつつ移動される2ユーロ硬貨2Eは選別孔198に落下した後、図示しないシュートにより案内されて2ユーロ用硬貨払出装置210-2Eに保留される。
【００６３】
判別された金種が20セント硬貨20Cの場合、選別孔190のゲートがタイミングセンサから出力される位置信号に基づいて所定時間開かれ、ガイドレール164に案内されつつ移動される20セント硬貨20Cは選別孔190に落下した後、図示しないシュートにより案内されて20セント用硬貨払出装置210-20Cに保留される。
【００６４】
判別された金種が50セント硬貨50Cの場合、50セント選別孔200のゲートがタイミングセンサから出力される位置信号に基づいて所定時間開かれる、ガイドレール164に案内されつつ移動される50セント硬貨50Cは50セント選別孔200に落下した後、図示しないシュートにより案内されて50セント用硬貨払出装置210-50Cに保留される。
【００６５】
判別された金種が1ユーロ硬貨の場合、1ユーロ選別孔202のゲートがタイミングセンサから出力される位置信号に基づいて所定時間開かれ、ガイドレール164に案内されつつ移動される1ユーロ硬貨1Eは1ユーロ選別孔202に落下した後、図示しないシュートにより案内されて1ユーロ用硬貨払出装置210-1Eに保留される。
【００６６】
いずれかの硬貨払出装置210の硬貨貯留量が所定値をオーバした場合、換言すれば、オーバーフロー状態の場合、対応する選別孔のゲートは開かれない。
換言すれば、何れの選別孔に落下しないので、オーバーフロー選別孔192に落下し、オーバーフロー用硬貨保留装置OFに保留される。
【００６７】
次ぎに出金時の作用について説明する。
本実施例１において、硬貨Cを硬貨受取口116に払い出す場合、上位装置、例えば、POSレジスタから硬貨払出指令が出力される。
この払出指令によって、各硬貨払出装置210の回転ディスク（図示せず）が回転され、さらに、第２の電気モータ226が駆動されて出金搬送ベルト216の上面218が硬貨受取口116へ向かって進行する。
回転ディスクの回転によって硬貨Cが投出されて出金搬送ベルト216上に落下し、出金搬送ベルト216の上面218の進行によって硬貨受取口116へ送り出される。
各硬貨払出装置210は、硬貨Cの払出を硬貨検知装置（図示せず）によって検知し、検知信号を出力するので、検知信号が所定数になった場合、回転ディスクの回転を急速停止させて硬貨Cの過払出を防止する。
【実施例２】
【００６８】
次ぎに、実施例２を図8及び図9を参照して説明する。
実施例２は、実施例１と大凡同一であるが、硬貨投入口120が実施例１は半球形であるが、実施例２においては、投入開口121から入金搬送ベルト122に対し垂立する円筒壁232、当該円筒壁232の下端に続いて搬送開口127に連なる傾斜面234とによって、保留部123が構成され、傾斜面234は漏斗状を呈し、硬貨Cが必ず滑落する傾斜角に形成されている。したがって、保留部123は、上部が円筒形であって、下部が円錐形を呈している。
この構成であっても、硬貨投入口120は平面視円形であり、実施例１と同様の作用・効果を有する。
【符号の説明】
【００６９】
１００  硬貨入出金装置
１０１  外面フレーム
１０２  入金量規制装置
１０４  分離送出装置
１０４  再度分離送出装置
１０６  金種判別装置
１０８  入金搬送装置
１１０  選別部
１１２  硬貨保留部
１１４  出金装置
１１６  硬貨受取口
１２０  硬貨投入口
１２１  投入開口
１２１Ｌ  左端
１２１Ｌ  左端縁
１２１Ｒ  右端
１２２  入金搬送ベルト
１２２  大凡入金搬送ベルト
１２２  搬送ベルト
１２３  保留部
１２４  ローラ
１２５  壁面
１２５Ｂ  ローラ
１２５Ｆ、１２５Ｂ  ローラ
１２６  第１電気モータ
１２７  搬送開口
１２７Ｂ  後端部
１２７Ｆ  前端部
１２７Ｌ  左端縁
１２７Ｒ  右端縁
１２８  光電センサ
１２８Ｌ  左端縁
１２８Ｒ  右端縁
１２９  切欠
１２９  発光器
１３０  回転円盤
１３２  保留ボウル
１３４  受取体
１３６  フルセンサ
１３８  受入部
１４０  回転円板
１４２  凹部
１４６  プレート
１４８  押出体
１５０  磁気センサ
１５２  回転体
１５４  基準ガイド
１５６  押動レバ
１５８  硬貨受入部
１６０  無端搬送体
１６２  スライドプレート
１６４  ガイドレール
１６６  第１スプロケット
１６８  第２スプロケット
１７０  チェーン
１７２  押動ピン
１７４  移送経路
１８０  上側選別部
１８２  下側選別部
１８４  ２セント選別孔
１８６  ５セント選別孔
１８８  １０セント選別孔
１９０  ２０セント選別孔
１９２  オーバーフロー選別孔
１９４  リジェクト選別孔
１９６  １  セント選別孔
１９８  ２ユーロ選別孔
２００  ５０セント選別孔
２０２  １ユーロ選別孔
２１０  硬貨払出装置
２１２  第１硬貨払出装置列
２１４  第２硬貨払出装置列
２１６  出金搬送ベルト
２１８  上面
２２０  平ベルト
２２２、２２４  ローラ
２２６  第２の電気モータ
２２８、２３０  ガイド板
２３２  円筒壁
２３４  傾斜面
【図１】
2015097001.tif 000003
【図２】
2015097001.tif 000004
【図３】
2015097001.tif 000005
【図４】
2015097001.tif 000006
【図５】
2015097001.tif 000007
【図６】
2015097001.tif 000008
【図７】
2015097001.tif 000009
【図８】
2015097001.tif 000010
【図９】
2015097001.tif 000011
【図１０】
2015097001.tif 000012
【図１１】
2015097001.tif 000013
【図１２】
2015097001.tif 000014
【図１３】
2015097001.tif 000015